(57)【要約】【課題】噴射ガスの注入により内層体を外層体から確実に剥離させて規定量の噴射ガスを充填可能なエアゾール用容器及びブロー成形により当該エアゾール用容器に成形可能なプリフォームを提供する。【解決手段】外層体２の内面に、周方向に等間隔に並び、口部４の開口端に開口し、軸方向に向けて全高の上下方向中間位置よりも下方側であって前記底部に達しない位置にまで延びるとともに溝幅が隣り合う噴射ガス充填路１１の間隔よりも狭い少なくとも３本の溝状の噴射ガス充填路１１を設けたエアゾール用容器１及び外側プリフォーム体２２の内面に、周方向に等間隔に並び、口部２４の開口端に開口し、軸方向に向けて全高の上下方向中間位置よりも下方側であって前記底部に達しない位置にまで延びるとともに溝幅が隣り合う噴射ガス充填路形成用溝３１の間隔よりも狭い少なくとも３本の噴射ガス充填路形成用溝３１を設けたプリフォーム２１。【選択図】図１
2018016398.tif 000002
【特許請求の範囲】
【請求項１】
筒状の口部と該口部に連なる筒状の胴部と該胴部の下端に連なる底部とを備えたボトル形状のエアゾール用容器であって、
前記エアゾール用容器の外殻を構成する外層体と、
前記外層体の内面に剥離可能に積層された減容変形自在の内層体と、
前記外層体の内面に周方向に等間隔に並べて設けられ、それぞれ前記口部の開口端に開口するとともに軸方向に延びる少なくとも３本の溝状の噴射ガス充填路とを有し、
それぞれの前記噴射ガス充填路の溝幅が隣り合う前記噴射ガス充填路との間隔よりも狭くなっているとともに、
それぞれの前記噴射ガス充填路が前記エアゾール用容器の全高の上下方向中間位置よりも下方側であって前記底部に達しない位置にまで延びていることを特徴とするエアゾール用容器。
【請求項２】
筒状の口部と該口部に連なる筒状の胴部と該胴部の下端に連なる底部とを備え、ブロー成形により所定形状のエアゾール用容器に成形される合成樹脂製のプリフォームであって、
前記プリフォームの外殻を構成する外側プリフォーム体と、
前記外側プリフォーム体とは別体に形成され、該外側プリフォーム体の内側に重ねて配置されて該外側プリフォーム体の内面を覆う内側プリフォーム体と、
前記外側プリフォーム体の内面に周方向に等間隔に並べて設けられ、それぞれ前記口部の開口端に開口するとともに軸方向に延びる少なくとも３本の噴射ガス充填路形成用溝とを有し、
それぞれの前記噴射ガス充填路形成用溝の溝幅が隣り合う前記噴射ガス充填路形成用溝との間隔よりも狭くなっているとともに、
それぞれの前記噴射ガス充填路形成用溝が前記プリフォームの全高の上下方向中間位置よりも下方側であって前記底部に達しない位置にまで延びていることを特徴とするプリフォーム。
【請求項３】
前記噴射ガス充填路形成用溝が一定の溝幅で軸方向に延びている、請求項２に記載のプリフォーム。
【請求項４】
前記内側プリフォーム体の開口端に形成されたフランジが前記外側プリフォーム体の開口端の内周側に形成された環状溝に配置されている、請求項２または３に記載のプリフォーム。
【発明の詳細な説明】
【技術分野】
【０００１】
本発明は、筒状の口部と該口部に連なる筒状の胴部と該胴部の下端に連なる底部とを備えたボトル形状のエアゾール用容器及びブロー成形により当該エアゾール用容器に成形可能な合成樹脂製のプリフォームに関する。
【背景技術】
【０００２】
従来から、整髪剤等の化粧料や害虫駆除剤等の薬剤などの液状の内容物を噴射剤とともに容器に収容したエアゾール製品が広く利用されている。エアゾール製品は、内容物とともに高圧（大気圧よりも高い圧力）噴射ガスが充填されたエアゾール用容器の口部にバルブ機構付きのキャップが装着された構成を有し、バルブ機構に設けられたステムを押し込み操作することにより噴射ガスの圧力によって内容物を当該ステムから噴出させることができる。
【０００３】
例えば特許文献１には、二重構造のプリフォームをブロー成形することにより外ボトルと減容変形自在の内ボトルとを有する二重構造に形成されたエアゾール用容器の口部にバルブ機構を備えたキャップが装着された構成を有し、内ボトルの内部に液状の内容物が充填されるとともに外ボトルと内ボトルとの間に噴射ガスが高圧で充填されたエアゾール製品が記載されている。
【先行技術文献】
【特許文献】
【０００４】
【特許文献１】特開２０１１−２５１７１０号公報
【発明の概要】
【発明が解決しようとする課題】
【０００５】
上記従来のエアゾール製品では、二重構造とされたエアゾール用容器の外ボトルと内ボトルとの間に噴射ガスを充填するために、外ボトルの口部の内面に当該口部の開口端に開口するとともに軸方向に延びる溝状の噴射ガス充填路を設けるようにしている。
【０００６】
しかしながら、上記従来のエアゾール製品では、噴射ガス充填路を外ボトルの口部の内面に１本のみを設けるようにしており、しかも、当該噴射ガス充填路を口部の範囲内にのみ設けるようにしているので、エアゾール用容器として二重構造のプリフォームをブロー成形することにより形成された積層剥離タイプのものを用いた場合では、噴射ガス充填路から噴射ガスを注入しても、内ボトルを外ボトルの内面から剥離することができない部分が生じて、当該容器内に規定量の噴射ガスを充填することができない場合があるという懸念があった。
【０００７】
本発明は、このような課題に鑑みてなされたものであり、その目的は、噴射ガスの注入により内層体を外層体から確実に剥離させて規定量の噴射ガスを充填可能なエアゾール用容器及びブロー成形により当該エアゾール用容器に成形可能なプリフォームを提供することにある。
【課題を解決するための手段】
【０００８】
本発明のエアゾール用容器は、筒状の口部と該口部に連なる筒状の胴部と該胴部の下端に連なる底部とを備えたボトル形状のエアゾール用容器であって、前記エアゾール用容器の外殻を構成する外層体と、前記外層体の内面に剥離可能に積層された減容変形自在の内層体と、前記外層体の内面に周方向に等間隔に並べて設けられ、それぞれ前記口部の開口端に開口するとともに軸方向に延びる少なくとも３本の溝状の噴射ガス充填路とを有し、それぞれの前記噴射ガス充填路の溝幅が隣り合う前記噴射ガス充填路との間隔よりも狭くなっているとともに、それぞれの前記噴射ガス充填路が前記エアゾール用容器の全高の上下方向中間位置よりも下方側であって前記底部に達しない位置にまで延びていることを特徴とする。
【０００９】
本発明のプリフォームは、筒状の口部と該口部に連なる筒状の胴部と該胴部の下端に連なる底部とを備え、ブロー成形により所定形状のエアゾール用容器に成形される合成樹脂製のプリフォームであって、前記プリフォームの外殻を構成する外側プリフォーム体と、前記外側プリフォーム体とは別体に形成され、該外側プリフォーム体の内側に重ねて配置されて該外側プリフォーム体の内面を覆う内側プリフォーム体と、前記外側プリフォーム体の内面に周方向に等間隔に並べて設けられ、それぞれ前記口部の開口端に開口するとともに軸方向に延びる少なくとも３本の噴射ガス充填路形成用溝とを有し、それぞれの前記噴射ガス充填路形成用溝の溝幅が隣り合う前記噴射ガス充填路形成用溝との間隔よりも狭くなっているとともに、それぞれの前記噴射ガス充填路形成用溝が前記プリフォームの全高の上下方向中間位置よりも下方側であって前記底部に達しない位置にまで延びていることを特徴とする。
【００１０】
本発明のプリフォームは、上記構成において、前記噴射ガス充填路形成用溝が一定の溝幅で軸方向に延びているのが好ましい。
【００１１】
本発明のプリフォームは、上記構成において、前記内側プリフォーム体の開口端に形成されたフランジが前記外側プリフォーム体の開口端の内周側に形成された環状溝に配置されているのが好ましい。
【発明の効果】
【００１２】
本発明によれば、噴射ガスの注入により内層体を外層体から確実に剥離させて規定量の噴射ガスを充填可能なエアゾール用容器及びブロー成形により当該エアゾール用容器に成形可能なプリフォームを提供することができる。
【図面の簡単な説明】
【００１３】
【図１】本発明の一実施の形態であるエアゾール用容器の一部を切り欠いて示す正面図である。
【図２】図１におけるＸ−Ｘ線に沿う断面図である。
【図３】（ａ）は図２におけるＡ−Ａ線に沿う断面図であり、（ｂ）は同Ｂ−Ｂ線に沿う断面図である。
【図４】本発明の一実施の形態であるプリフォームであって、（ａ）は同図（ｂ）におけるＹ−Ｙ線に沿う断面図であり、（ｂ）は同プリフォームの正面視での半断面図である。
【図５】図４（ａ）におけるＣ−Ｃ線に沿う断面図である。
【発明を実施するための形態】
【００１４】
以下、図面を参照して、本発明をより具体的に例示説明する。
【００１５】
図１〜図３に示す本発明の一実施の形態であるエアゾール用容器１は、外層体２と内層体３とを備えた二重構造となっており、その外形形状は、円筒状に形成された口部４と、この口部４に丸みを帯びた湾曲状の肩部５を介して一体に連なる略円筒状の胴部６と、この胴部６の下端に一体に連なる底部７とを備えたボトル形状となっている。
【００１６】
このエアゾール用容器１は、バルブ機構を備えたキャップ（不図示）が口部４に装着され、内層体３の内部に液状の内容物が充填されるとともに外層体２と内層体３との間に噴射ガスが充填されることによりエアゾール製品に構成されるものである。エアゾール製品はキャップに設けられたステムが押し下げ操作されるとバルブ機構が開かれる構成となっており、ステムを押し下げ操作してバルブ機構を開くことにより噴射ガスの圧力によって内容物をステムから噴射させることができる。すなわち、内層体３は、外層体２と内層体３との間に充填された高圧の噴射ガスによりその容積を減少させる方向に加圧されているので、バルブ機構が開かれると、内層体３が噴射ガスの圧力により減容変形してその内部に収容されている内容物が押し出されてステムを通して外部に向けて噴射される。このエアゾール用容器１を用いたエアゾール製品は、例えば整髪剤等の化粧料や害虫駆除剤等の薬剤などの液状の内容物を収容する用途に用いることができる。
【００１７】
口部４の外層体２によって構成される部分の外周面には、その全周に亘って径方向外側に突出する突条４ａが設けられている。キャップは、この突条４ａに巻き締められることにより口部４に固定される。
【００１８】
突条４ａには、当該突条４ａを軸方向に沿って切り欠くように延びる一対の切欠き溝４ｂが設けられている。これらの切欠き溝４ｂは、それぞれ横断面が略矩形の溝状に形成されており、口部４の軸心を挟んで対向する位置に配置されている。このような切欠き溝４ｂを設けることにより、エアゾール製品が高温環境下に長時間放置される等してエアゾール用容器１の内部に充填された噴射ガスの圧力が過度に高まった場合に、口部４を一対の切欠き溝４ｂの部分を起点として楕円形状に変形させることができる。これにより、高圧の噴射ガスを口部４の外周面とキャップの内周面との間から逃がしてエアゾール用容器１の破裂を防止することができる。
【００１９】
胴部６は肩部５に対して段差を有して連ねられ、その下端側部分は徐々に縮径する形状となっている。底部７は下方に向けて円環状に突出する接地部７ａと、この接地部７ａの内側に口部４の側に向けて凹んで設けられた凹部７ｂとを備えており、接地部７ａを接地させることでエアゾール用容器１を正立姿勢に配置することができるようになっている。
【００２０】
外層体２は、このエアゾール用容器１の外殻を構成するものであり、例えばポリエチレンテレフタレート（ＰＥＴ）等の合成樹脂材料により形成することができる。外層体２は、噴射ガスの圧力に耐え得る所定の剛性ないし強度を有する厚みないし形状に形成される。
【００２１】
内層体３は、例えばポリプロピレン（ＰＰ）とエチレン−ビニルアルコール共重合樹脂（ＥＶＯＨ）とをブレンドした合成樹脂材料等により外層体２よりも厚みが薄い袋状に形成され、外層体２の内面に剥離可能に積層されている。内層体３の内部は口部４の開口端に連なる収容部８となっており、この収容部８に上記した整髪剤等の化粧料や害虫駆除剤等の薬剤などの液状の内容物を収納することができる。また、内層体３は、外層体２の内面から剥離することで、収容部８の容積を減少させるように減容変形することができる。
【００２２】
図２、図３に示すように、内層体３の開口端部分には、径方向外側に突出する円環状のフランジ９が一体に設けられている。当該フランジ９が外層体２の開口端の内周側に形成された環状溝１０の下面に当接するように配置されることで、内層体３の開口端部分は外層体２の開口端部分に位置決めされた状態で固定されている。なお、口部４の開口端においては、外層体２の上端と内層体３の上端は互いに段差を生じることなく同一高さに形成されている。
【００２３】
外層体２の内面には、４本の噴射ガス充填路１１が、エアゾール用容器１の軸心を中心とした周方向に向けて等間隔に並べて設けられている。図２、図３に示すように、噴射ガス充填路１１は、それぞれ断面が周方向寸法よりも径方向寸法が小さい略矩形形の溝状に形成され、口部４の開口端に開口している。噴射ガス充填路１１は、口部４の開口端から軸方向に（エアゾール用容器１の軸心を含む仮想平面に沿って）延び、図１に示すように、このエアゾール用容器１の全高の上下方向中間位置よりも下方側であって底部７に達しない位置にまで達している。ここで、エアゾール用容器１の全高とは、エアゾール用容器１を、口部４を上方とし、底部７を下方として基準面に配置したときの、当該基準面から口部４の上端までの高さのことである。なお、噴射ガス充填路１１の口部４から肩部５にかけた所定範囲の部分は、当該範囲よりも下方側の部分よりも径方向寸法つまり溝の深さが深い深路部１１ａとなっている。また、これらの噴射ガス充填路１１の周方向幅寸法つまり溝幅は、上下方向の何れの位置においても、隣り合う噴射ガス充填路１１との周方向に向けた間隔よりも狭くなっている。なお、４本の噴射ガス充填路１１の形状及び長さ等は何れも同一である。
【００２４】
本実施の形態では、外層体２の内面に４本の噴射ガス充填路１１を設けるようにしているが、これに限らず、少なくとも３本の噴射ガス充填路１１が設けられていれば、その本数は任意に変更可能である。また、噴射ガス充填路１１は溝状に形成されていれば、その断面形状等も種々変更可能である。
【００２５】
口部４の開口端には、外側シール突起１２と内側シール突起１３が設けられている。外側シール突起１２は外層体２の開口端に一体に設けられており、当該開口端に沿って噴射ガス充填路１１よりも径方向外側において環状に延びている。内側シール突起１３は内層体３の開口端に一体に設けられており、当該開口端に沿って噴射ガス充填路１１よりも径方向内側において環状に延びている。口部４にキャップが装着されると、外側シール突起１２及び内側シール突起１３がキャップの内面に当接し、噴射ガス充填路１１は外側シール突起１２によって外気からシールされるとともに内側シール突起１３によって収容部８からシールされる。
【００２６】
このような構成のエアゾール用容器１は、口部４を通して内層体３の収容部８に内容物を充填することができるとともに、４本の噴射ガス充填路１１から外層体２と内層体３との間に高圧つまり大気圧よりも高い所定圧力の噴射ガスを充填することができる。なお、噴射ガスの充填は、口部４にキャップを装着して当該口部４にキャップを仮締めした後に、当該キャップを介して行うことができる。この場合、ガス供給機から供給される高圧の噴射ガスはキャップにおいて４系統に分離され、それぞれの噴射ガス充填路１１に向けて供給される。
【００２７】
このとき、エアゾール用容器１には、周方向に等間隔に並べて４本の噴射ガス充填路１１が設けられ、しかもこれらの噴射ガス充填路１１はそれぞれ口部４の開口端からエアゾール用容器１の全高の上下方向中間位置よりも下方側であって底部７に達しない位置にまで延びているので、口部４の開口端における開口から噴射ガス充填路１１に注入された噴射ガスは、周方向の４箇所において、口部４からエアゾール用容器１の全高の上下方向中間位置よりも下方に至るまでの広い範囲で外層体２と内層体３との間に向けて供給されることになる。したがって、当該広い範囲を起点として内層体３を外層体２の内面から剥離させることができるので、噴射ガスの注入により内層体３の全体を外層体２から確実に剥離させることができる。これにより、内層体３の外層体２からの剥離不良を防止して、規定量の噴射ガスを外層体２と内層体３との間に確実に充填することができる。
【００２８】
また、口部４と肩部５との境界部分は強く湾曲する形状のため、内層体３が外層体２から剥離しづらい部分であるが、口部４の開口端から肩部５にかかる部分に深路部１１ａを設けて当該部分における噴射ガス充填路１１の径方向寸法を他の部分よりも大きくすることによって、より多くの噴射ガスが供給されるようにして、当該部分においても内層体３を外層体２から確実に剥離させることができる。
【００２９】
図４（ａ）は本発明の一実施の形態であるプリフォーム２１の平面図であり、（ｂ）は同プリフォーム２１の正面視での半断面図である。また、図５は図４（ａ）におけるＣ−Ｃ線に沿う断面図である。
【００３０】
このエアゾール用容器１は、図４に示す本発明の一実施の形態である合成樹脂製のプリフォーム２１をブロー成形することにより形成することができる。
【００３１】
プリフォーム２１は、外層体２を形成する外側プリフォーム体２２と、内層体３を形成する内側プリフォーム体２３とを備えた二重構造となっている。
【００３２】
外側プリフォーム体２２は外層体２と同一の材質つまりポリエチレンテレフタレート等の合成樹脂材料により形成されており、このプリフォーム２１の外殻を構成している。なお、外側プリフォーム体２２は、例えば射出成形によって形成することができる。
【００３３】
内側プリフォーム体２３は内層体３と同一の材質つまりポリプロピレン（ＰＰ）とエチレン−ビニルアルコール共重合樹脂（ＥＶＯＨ）とをブレンドした合成樹脂材料等により外側プリフォーム体２２よりも厚みが薄い有底筒状に形成されている。内側プリフォーム体２３は外側プリフォーム体２２とは別体に形成され、外側プリフォーム体２２の内側に組み込まれて、外側プリフォーム体２２の内面を覆うように当該外側プリフォーム体２２の内側に重ねて配置されている。なお、内側プリフォーム体２３は、例えば射出成形によって形成することができる。
【００３４】
このプリフォーム２１の外形形状は、円筒状の形状を有する口部２４と、この口部２４に連なる円筒状の胴部２５と、この胴部２５の下端に連なって当該胴部２５を閉塞する湾曲形状（半球形状）の底部２６とを有する有底筒状（略試験管状）となっている。
【００３５】
口部２４は、エアゾール用容器１の口部４と同様の形状に形成されている。
【００３６】
すなわち、図５に示すように、口部２４の外側プリフォーム体２２によって構成される部分の外周面には、その全周に亘って径方向外側に突出する突条２４ａが設けられている。また、突条２４ａには、当該突条４ａを軸方向に沿って切り欠くように延びる一対の切欠き溝２４ｂが設けられている。これらの切欠き溝２４ｂは、それぞれ横断面が略矩形の溝状に形成されており、口部２４の軸心を挟んで対向する位置に配置されている。
【００３７】
また、内側プリフォーム体２３の開口端部分には径方向外側に突出する円環状のフランジ２７が一体に設けられ、当該フランジ２７が外側プリフォーム体２２の開口端の内周側に形成された環状溝２８の下面に当接するように配置されている。これにより、内側プリフォーム体２３の開口端部分を、外側プリフォーム体２２の開口端部分に位置決めされた状態で固定することができる。このとき、外側プリフォーム体２２の内面の底部分と内側プリフォーム体２３の下端との間に僅かな隙間が生じるようにして、フランジ２７が環状溝２８の下面に確実に接触するように構成することもできる。また、外側プリフォーム体２２の胴部２５に相当する部分にける内面と内側プリフォーム体２３の胴部２５に相当する部分における外面との間に僅かな隙間を設けた構成とすることもできる。なお、口部２４の開口端においては、外側プリフォーム体２２の上端と内側プリフォーム体２３の上端は互いに段差を生じることなく同一高さに形成されている。
【００３８】
プリフォーム２１の状態では、口部２４と胴部２５の境界は明確ではないが、口部２４は、プリフォーム２１がブロー成形された後においても形状が変化せず、そのまま成形後のエアゾール用容器１の口部４となる部分であり、胴部２５はブロー成形によって軸方向及び径方向に延伸されて成形後のエアゾール用容器１の胴部６及び底部７の一部を形成する部分である。
【００３９】
外側プリフォーム体２２の内面には、４本の噴射ガス充填路形成用溝３１が、プリフォーム２１の軸心を中心とした周方向に向けて等間隔に並べて設けられている。噴射ガス充填路形成用溝３１は、それぞれ断面が周方向寸法よりも径方向寸法が小さい略矩形の溝状に形成され、口部２４の開口端に開口している。噴射ガス充填路形成用溝３１は、口部２４の開口端から軸方向に沿って延び、このプリフォーム２１の全高の上下方向中間位置よりも下方側であって底部２６に達しない位置にまで達している。ここで、プリフォーム２１の全高とは、プリフォーム２１を、口部２４を上方とし、底部２６を下方として基準面に配置したときの、当該基準面から口部２４の上端までの高さのことであり、プリフォーム２１の軸方向長さと一致する。すなわち、噴射ガス充填路形成用溝３１は、口部２４の開口端から軸方向に沿って延び、プリフォーム２１の軸方向中間位置よりも底部２６の側であるが底部２６には至らない位置にまで達している。なお、噴射ガス充填路形成用溝３１の軸方向の下端位置Ｐは、プリフォーム２１がブロー成形された後においてエアゾール用容器１の胴部６に形成される部分にある。図示する場合では、噴射ガス充填路形成用溝３１の軸方向の下端位置Ｐは、プリフォーム２１がブロー成形された後においてエアゾール用容器１の胴部６の徐々に縮径する下端側部分よりも上方側（口部４の側）にある。なお、噴射ガス充填路形成用溝３１の口部２４から胴部２５の側に向けた所定範囲の部分は、当該範囲よりも下方側の部分よりも径方向寸法つまり溝の深さが深い深溝部３１ａとなっている。また、噴射ガス充填路形成用溝３１は一定の周方向幅寸法つまり溝幅で軸方向に延びており、また、これらの噴射ガス充填路形成用溝３１の溝幅は、上下方向の何れの位置においても、隣り合う噴射ガス充填路形成用溝３１との周方向に向けた間隔よりも狭くなっている。なお、４本の噴射ガス充填路形成用溝３１の形状及び長さ等は何れも同一である。
【００４０】
本実施の形態では、外側プリフォーム体２２の内面に４本の噴射ガス充填路形成用溝３１を設けるようにしているが、これに限らず、少なくとも３本の噴射ガス充填路形成用溝３１が設けられて入れば、その本数は任意に変更可能である。また、噴射ガス充填路形成用溝３１は溝状に形成されていれば、その断面形状等も種々変更可能である。
【００４１】
噴射ガス充填路形成用溝３１は、その溝幅を２．０ｍｍ〜３．０ｍｍの範囲とし、その溝の深さを０．５ｍｍ〜１．０ｍｍの範囲とするのが好ましい。本実施の形態においては、噴射ガス充填路形成用溝３１の溝幅は２．５ｍｍ、溝の深さは０．７ｍｍである。噴射ガス充填路形成用溝３１の溝幅及び溝の深さを上記範囲とすることにより、このプリフォーム２１をブロー成形して形成されたエアゾール用容器１の噴射ガス充填路１１を適切な形状ないし流路面積を有するものとして、当該噴射ガス充填路１１から外層体２と内層体３との間に向けて噴射ガスを適正に充填することができる。
【００４２】
また、噴射ガス充填路形成用溝３１は、その軸方向の長さを、プリフォーム２１の全高すなわち軸方向長さに対して６０％〜８０％の範囲の長さとするのが好ましい。本実施の形態においては、噴射ガス充填路形成用溝３１の軸方向の長さは、プリフォーム２１の全高すなわち軸方向長さの７０％の長さとなっている。噴射ガス充填路形成用溝３１の軸方向の長さを上記範囲とすることにより、このプリフォーム２１をブロー成形して形成されたエアゾール用容器１において、噴射ガス充填路１１を胴部６の適正な位置にまで達する長さとすることができる。これにより、噴射ガス充填路１１が底部７にまで達して接地部７ａが部分的に薄肉化されることを防止して、接地部７ａにおいてエアゾール用容器１をガタつきなく接地させることができるとともに、噴射ガスが充填されたときに当該薄肉化された部分からエアゾール用容器１が破裂することを防止して当該エアゾール用容器１の安全性を高めることができる。
【００４３】
口部２４の開口端には、外側シール突起３２と内側シール突起３３が設けられている。外側シール突起３２は外側プリフォーム体２２の開口端に一体に設けられており、当該開口端に沿って噴射ガス充填路形成用溝３１よりも径方向外側において環状に延びている。内側シール突起３３は内側プリフォーム体２３の開口端に一体に設けられており、当該開口端に沿って噴射ガス充填路形成用溝３１よりも径方向内側において環状に延びている。なお、外側シール突起３２と内側シール突起３３は、それぞれエアゾール用容器１の外側シール突起１２、内側シール突起１３に対応するものである。
【００４４】
このような構成のプリフォーム２１をブロー成形することにより、図１に示すエアゾール用容器１を容易に製造することができる。ブロー成形としては、加圧媒体として加圧エアーを用いるとともに延伸ロッドを用いた二軸延伸ブロー成形を採用するのが好ましいが、当該プリフォーム２１を図１に示すエアゾール用容器１に成形することができれば、例えば延伸ロッドを用いないブロー成形を採用することもできる。
【００４５】
本発明は前記実施の形態に限定されるものではなく、その要旨を逸脱しない範囲で種々変更可能であることはいうまでもない。
【符号の説明】
【００４６】
１    エアゾール用容器
２    外層体
３    内層体
４    口部
４ａ  突条
４ｂ  切欠き溝
５    肩部
６    胴部
７    底部
７ａ  接地部
７ｂ  凹部
８    収容部
９    フランジ
１０    環状溝
１１    噴射ガス充填路
１１ａ  深路部
１２    外側シール突起
１３    内側シール突起
２１    プリフォーム
２２    外側プリフォーム体
２３    内側プリフォーム体
２４    口部
２４ａ  突条
２４ｂ  切欠き溝
２５    胴部
２６    底部
２７    フランジ
２８    環状溝
３１    噴射ガス充填路形成用溝
３１ａ  深溝部
３２    外側シール突起
３３    内側シール突起
Ｐ    下端位置
【図１】
2018016398.tif 000003
【図２】
2018016398.tif 000004
【図３】
2018016398.tif 000005
【図４】
2018016398.tif 000006
【図５】
2018016398.tif 000007